(57)【要約】【課題】  水性顔料インクを用いるインクジェット記録に最適で、インク吸収性に乏しい記録媒体を用いても、画像濃度が高く、ブリードがなく、きれいな真円形状のドットが形成されており、粒状感が目立たず高精細の画像を提供し得る反応液、インクセット及びインクジェット記録方法を提供すること。【解決手段】  ３価以上の多価金属イオンを含む多価金属塩及び水を含有させた反応液を用い、さらにこの反応液の表面張力を、該反応液と併用する水性顔料インクの表面張力の平均値よりも大とする。これにより、ドットの形成位置のずれ、ドットの真円性の低下、ドット径の拡大、粒状感の増大などの不都合を効果的に防止することができる。【選択図】  なし【特許請求の範囲】
【請求項１】
少なくとも色材として顔料を含有する水性インクと併用されるインクジェット記録用反
応液であって、少なくとも３価以上の多価金属イオンを含む多価金属塩及び水を含有し、
且つ表面張力が、該反応液と併用される該水性インクの表面張力の平均値よりも大きいこ
とを特徴とする反応液。
【請求項２】
上記多価金属塩が、硫酸アルミニウム、酢酸アルミニウム、硝酸アルミニウム及びカリ
ウムアルミニウムミョウバンからなる群から選ばれるいずれか１種以上であることを特徴
とする請求項１記載の反応液。
【請求項３】
少なくとも３価以上の多価金属イオンを含む多価金属塩及び水を含有する反応液と、少
なくとも色材として顔料を含有する水性インクとからなるインクジェット記録用インクセ
ットであって、該反応液の表面張力が該水性インクの表面張力の平均値よりも大きいこと
を特徴とするインクセット。
【請求項４】
上記反応液の表面張力が２５〜５０ｍＮ／ｍの範囲にあり、上記水性インクの表面張力
が２０〜５０ｍＮ／ｍの範囲にあり、且つ該反応液の表面張力と上記平均値との差が５〜
２５ｍＮ／ｍの範囲にあることを特徴とする請求項３記載のインクセット。
【請求項５】
上記水性インクが、少なくとも、シアン、マゼンタ、イエロー及びブラックの４色以上
の水性インクの組み合わせからなることを特徴とする請求項３又は４記載のインクセット
。
【請求項６】
請求項１又は２記載の反応液と、少なくとも色材として顔料を含有する水性インクとを
用いるインクジェット記録方法であって、記録媒体の被記録面上で該反応液と該水性イン
クとを接触させるように、該反応液及び該水性インクを該被記録面上に付与することを特
徴とするインクジェット記録方法。
【請求項７】
請求項３〜５のいずれかに記載のインクセットを用いるインクジェット記録方法であっ
て、記録媒体の被記録面上で上記反応液と上記水性インクとを接触させるように、該反応
液及び該水性インクを該被記録面上に付与することを特徴とするインクジェット記録方法
。
【発明の詳細な説明】
【技術分野】
【０００１】
本発明は、インクジェット記録において、画質の向上を目的として使用される反応液、
並びにこれを用いたインクセット及びインクジェット記録方法に関する。
【背景技術】
【０００２】
インクジェット記録方式は、記録ヘッドからインクの液滴を吐出させ、紙等の記録媒体
にインクを付着させて画像を記録する印刷方式である。インクジェット記録用のインクと
しては、染料系あるいは顔料系の色材を水性媒体中に溶解又は分散させた水性インクが一
般的であり、染料インクと顔料インクに大別される。これまで、記録画像の色再現性等に
優れる染料インクが多用されてきたが、インクジェット記録技術のデジタル写真サービス
や商業印刷等への用途拡大等により、記録画像の保存性が重要視されるようになってきて
おり、染料インクに比して記録画像の耐水性や耐光性等に優れる顔料インクが使用される
ようになってきている。
【０００３】
一般に、顔料インクは、染料インクに比して記録画像の画像濃度（発色性）に劣る。即
ち、染料インクによる画像形成は、記録媒体上に付与された染料インク中の色材（染料）
が記録媒体の内部にまで浸透し、これにより記録媒体が染色されることによりなされるの
に対し、顔料インクによる画像形成は、記録媒体上に付与された顔料インク中の色材（顔
料）が記録媒体上に留まり（顔料は染料に比べて粒径が大きく、記録媒体の内部に浸透し
にくい）、この顔料自体の発色によりなされるものであるため、顔料インクによる画像は
、染料インクによる画像に比して、画像濃度が不十分で入射光の乱反射による色見の相違
が起こりやすいのである。従って、顔料インクを用いるインクジェット記録においては、
画像濃度を如何にして高めるかが重要な技術課題となっている。
【０００４】
また従来から、画像濃度が高く、ブリードのない高品位のカラー画像が得られるインク
ジェット記録方法として、インクと、インク中の色材成分を瞬間的に凝集させる凝集剤を
含む反応液（プリント性向上液などとも呼ばれる）との２液を用いる方法が知られている
。該凝集剤としては種々のものを利用することができ、例えば、マグネシウム塩等の多価
金属塩（特許文献１参照）、ポリアリルアミン、ポリアミンスルホン酸塩等のカチオン性
ポリマー（特許文献２〜９参照）等が挙げられる。この２液を用いる方法は、特に、イン
クジェット記録方式に適合した特性を付与されていない普通紙（一般事務用紙やオフセッ
ト用塗工印刷用紙など）に対して有効であり、この方法によれば、高価で特殊なインクジ
ェット専用紙を用いなくても、比較的安価な普通紙で高品位のカラー画像を得ることがで
きる。
【特許文献１】特開２００１−１６２７号公報
【特許文献２】特開平８−１０４０００号公報
【特許文献３】特開平８−２１６３８８号公報
【特許文献４】特開平８−２８１９２９号公報
【特許文献５】特開平９−２７７５０７号公報
【特許文献６】特開平１０−１６６５５９号公報
【特許文献７】特開平１０−２２６０５７号公報
【特許文献８】特開平１０−１４６９９１号公報
【特許文献９】特開平１０−１５１７７２号公報
【発明の開示】
【発明が解決しようとする課題】
【０００５】
２液を用いたインクジェット記録方法では、インクに加えて反応液を使用するため、記
録媒体上に付与される液体の量は、反応液を使用しない通常のインクジェット記録方法に
比して多く、かなりの量の液体がごく短時間で記録媒体上に付与される。従って、記録媒
体のインク吸収能力を超える多量の液体（インク及び反応液）が記録媒体上に付与される
と、その直後の記録媒体上には、記録媒体内部に吸収あるいは蒸発乾燥しきれない液体が
発生することになる。従来の２液を用いたインクジェット記録方法においては、このよう
な記録媒体上に残留するインクや反応液が流動して、ドットの形成位置が本来の位置（液
滴の着弾位置）からずれたり、真円形状であるべきドット形状が乱れたり、隣接するドッ
ト同士がくっついて広がったりし、画質を高めるはずの２液使用が、却って画質低下を招
くという問題があった。特に、記録媒体としてインク吸収性に乏しい一般塗工印刷用紙や
フィルムなどを用いた場合には、記録媒体上に残留するインクや反応液の量が多くなるた
め、問題が悪化する。
【０００６】
従って、本発明の目的は、水性顔料インクを用いるインクジェット記録に最適で、イン
ク吸収性に乏しい記録媒体を用いても、画像濃度が高く、ブリードがなく、きれいな真円
形状のドットが形成されており、粒状感が目立たず高精細の画像を提供し得る反応液並び
にこれを用いたインクセット及びインクジェット記録方法を提供することにある。
【課題を解決するための手段】
【０００７】
本発明者は、水性顔料インクを用いるインクジェット記録に最適な反応液について種々
検討した結果、微少な真円形状のインクドットを高精度で所定の位置に形成するためには
、反応液のインク凝集力及び表面張力を高めることが有効であるとの知見を得た。
【０００８】
本発明は、上記知見に基づきなされたもので、少なくとも色材として顔料を含有する水
性インクと併用されるインクジェット記録用反応液であって、少なくとも３価以上の多価
金属イオンを含む多価金属塩及び水を含有し、且つ表面張力が、該反応液と併用される該
水性インクの表面張力の平均値よりも大きいことを特徴とする反応液を提供することによ
り、上記目的を達成したものである。
【０００９】
また、本発明は、少なくとも３価以上の多価金属イオンを含む多価金属塩及び水を含有
する反応液と、少なくとも色材として顔料を含有する水性インクとからなるインクジェッ
ト記録用インクセットであって、該反応液の表面張力が該水性インクの表面張力の平均値
よりも大きいことを特徴とするインクセットを提供するものである。
【００１０】
また、本発明は、上記反応液と、少なくとも色材として顔料を含有する水性インク、あ
るいは上記インクセットを用いるインクジェット記録方法であって、記録媒体の被記録面
上で該反応液と該水性インクとを接触させるように、該反応液及び該水性インクを該被記
録面上に付与することを特徴とするインクジェット記録方法を提供するものである。
【発明の効果】
【００１１】
本発明によれば、インクと併用される反応液に、３価以上の多価金属イオンによる強力
なインク凝集作用と、高い表面張力設定による記録媒体上での低い濡れ性とが付与されて
いるので、微少な真円形状のインクドットを高精度で形成することができ、画像濃度が高
く、ブリードがなく、粒状感が目立たない高精細の画像が得られる。本発明は、特に、水
性顔料インクを用いてインク吸収性に乏しい記録媒体（例えば、オフセット印刷用塗工紙
やフィルム）に対してカラーインクジェット記録を行う場合に有効であり、この場合は、
顔料インクの特長である耐水性や耐光性などの良さと相俟って、画質が良好で且つ長期間
に亘って画像の変質が起こりにくく、保存性に優れた画像が得られる。
【発明を実施するための最良の形態】
【００１２】
以下、先ず、本発明の反応液について説明する。本発明の反応液は、３価以上の多価金
属イオンを含む多価金属塩及び水を必須成分として含有する。
【００１３】
上記多価金属塩は、インク中の色材、その他の成分の分散状態を破壊し、それらを凝集
させる作用を有するもので、３価以上の多価金属イオンとこれに結合する陰イオンとから
構成される水に可溶な塩であり、無水物でもよく、水和物でもよい。３価以上の多価金属
イオンとしては、例えば、Ａｌ3+、Ｆｅ3+、Ｃｒ3+、Ｚｒ3+、Ｚｒ4+などが挙げられ、陰
イオンとしては、例えば、Ｃｌ-、ＮＯ3-、Ｉ-、Ｂｒ-、ＣｌＯ3-、ＣＨ3ＣＯＯ-、Ｆ-、
ＳＯ42-、ＳＯ32-などが挙げられる。
【００１４】
特に好ましい上記多価金属塩としては、硫酸アルミニウム、酢酸アルミニウム、硝酸ア
ルミニウム、カリウムアルミニウムミョウバン等が挙げられ、これらのうちのいずれか１
種以上を反応液中に含有させることができる。これらの多価金属塩は、画像濃度、記録ヘ
ッドに対する影響（腐食性）、安全性（毒性）、コストという観点から、反応液に含有さ
せる凝集剤として好適である。
【００１５】
上記多価金属塩の含有量は、所定の効果が得られるように適宜調整すればよく、好まし
くは上記反応液に対して０．５〜２０重量％である。多価金属塩の含有量が０．５重量％
未満では、画像濃度などの画質面での改善効果に乏しく、２０重量％超では、保存安定性
や吐出安定性の低下、記録ヘッドの構成部品の腐食などを招くおそれがある。
【００１６】
本発明の反応液には、上記多価金属塩及び水の他に、保湿や浸透調整などのために、通
常、高沸点有機溶剤及び低沸点有機溶剤を含有させる。
【００１７】
上記高沸点有機溶剤としては、例えば、エチレングリコール、ジエチレングリコール、
トリエチレングリコール、ポリエチレングリコール、ポリプロピレングリコール、プロピ
レングリコール、ブチレングリコール、１，２，６−ヘキサントリオール、チオグリコー
ル、ヘキシレングリコール、グリセリン、トリメチロールエタン、トリメチロールプロパ
ン等の多価アルコール類；エチレングリコールモノエチルエーテル、エチレングリコール
モノブチルエーテル、ジエチレングリコールモノメチルエーテル、ジエチレングリコール
モノエチルエーテル、ジエチレングリコールモノブチルエーテル、トリエチエレングリコ
ールモノメチルエーテル、トリエチレングリコールモノエチルエーテル、トリエチレング
リコールモノブチルエーテル等の多価アルコールのアルキルエーテル類、尿素、２−ピロ
リドン、Ｎ−メチル−２−ピロリドン、１，３−ジメチル−２−イミダゾリジノン、トリ
エタノールアミン等が挙げられる。高沸点有機溶剤は、反応液の乾燥を防ぎ、記録ヘッド
の目詰まりを防止する点で特に有効である。高沸点有機溶剤の含有量は特に限定されない
が、上記反応液に対して好ましくは１〜５０重量％、さらに好ましくは５〜３０重量％で
ある。
【００１８】
上記低沸点有機溶剤としては、例えば、メタノール、エタノール、ｎ−プロピルアルコ
ール、ｉｓｏ−プロピルアルコール、ｎ−ブタノール、ｓｅｃ−ブタノール、ｔｅｒｔ−
ブタノール、ｉｓｏ−ブタノール、ｎ−ペンタノール等が挙げられる。低沸点有機溶剤は
、反応液の乾燥時間を短くする効果がある。低沸点有機溶剤の含有量は特に限定されない
が、上記反応液に対して好ましくは１〜５０重量％、さらに好ましくは５〜３０重量％で
ある。
【００１９】
本発明の反応液には、上述した成分以外に、必要に応じ、粘度調整剤、ｐＨ調整剤、防
腐剤、酸化防止剤、紫外線吸収剤、光安定剤、消光剤、防黴剤、防腐剤、消泡剤、抑泡剤
等の公知の各種添加剤を含有させることができる。
【００２０】
本発明の反応液は、上述の如き組成であることに加えて、その表面張力が、該反応液と
併用される水性インクの表面張力の平均値（併用される水性インクが１色の場合は該水性
インクの表面張力の測定値）よりも大となるように調整される。これにより、ドットの形
成位置のずれ、ドットの真円性の低下、ドット径の拡大、粒状感の増大などを効果的に防
止することができ、粒状感の目立たない高精細の画像を得ることが可能となる。
【００２１】
上記効果を一層確実に奏させるようにする観点から、上記反応液の表面張力と上記平均
値との差は５〜２５ｍＮ／ｍの範囲にあることが好ましい。
【００２２】
また、上記反応液の表面張力自体は、吐出安定性を確保すると共に、記録媒体内部への
浸透性を高めて記録直後の記録媒体の乾燥性を高める観点から、２５〜５０ｍＮ／ｍの範
囲にあることが好ましい。表面張力の調整は、各種溶剤の種類、含有量などを適宜調整す
ることにより行うことができる。
【００２３】
次に、本発明において、上記反応液と併用するインクについて説明する。本発明に係る
インクは、少なくとも色材として顔料を含有する水性インク（水性顔料インク）である。
顔料の含有量は、通常、水性インクに対して０．５〜３０重量％程度である。顔料として
は、例えば、酸化チタン及び酸化鉄、コンタクト法、ファーネス法、サーマル法等の公知
の方法によって製造されたカーボンブラックなどの無機系顔料；アゾ顔料（アゾレーキ、
不溶性アゾ顔料、縮合アゾ顔料、キレートアゾ顔料等を含む）、多環式顔料（例えば、フ
タロシアニン顔料、ペリレン顔料、ペリノン顔料、アントラキノン顔料、キナクリドン顔
料、ジオキサジン顔料、チオインジゴ顔料、イソインドリノン顔料、キノフラロン顔料等
）、染料キレート（例えば、塩基性染料型キレート、酸性染料型キレート等）、ニトロ顔
料、ニトロソ顔料、アニリンブラックなどの有機系顔料などが挙げられる。有機系顔料と
しては、シアン、マゼンタ、イエロー、レッド、グリーン、ブルー等の有彩色の色調の従
来公知の有機系顔料を何ら区別することなく用いることができる。また、これら有彩色の
有機系顔料は、複数混合して用いてもよい。
【００２４】
上記顔料は、水溶性樹脂等の分散剤が無添加あるいはごく少量添加の水性媒体中に分散
及び／又は溶解が可能ないわゆる自己分散型顔料（表面改質顔料などとも呼ばれる）でも
よく、自己分散型ではない顔料（樹脂分散型顔料）でもよい。自己分散型顔料は、顔料粒
子表面にアニオン性基が結合されているものが好ましい。このアニオン性基としては、例
えば、−ＣＯＯＭ、−ＳＯ3Ｍ、−ＰＯ3ＨＭ、−ＰＯ3Ｍ2（各式中、Ｍは、水素原子、ア
ルカリ金属、アンモニウム又は有機アンモニウムを表わす）等が挙げられる。
【００２５】
樹脂分散型顔料を使用する場合は、該樹脂分散型顔料と共に、分散剤として、高級脂肪
酸塩や高級アルコール硫酸エステルなどのアニオン性界面活性剤、あるいはポリアクリル
酸塩などのアニオン性高分子等のアニオン性基含有物質を併用することが好ましい。アニ
オン性基を持たない分散剤を使用する場合は、インク中にアニオン性化合物を含有させる
ことが好ましい。勿論、分散剤としてアニオン性基含有物質を使用し、さらにこれ以外の
アニオン性化合物を含有させてもよい。
【００２６】
このようなアニオン性化合物を含有する水性顔料インクと、本発明の反応液とを記録媒
体上で接触させることにより、反応液中に含まれる３価以上の金属イオンと、自己分散型
顔料あるいは分散剤のアニオン性基とが、イオン的相互作用により瞬時に会合体を形成し
、これにより高い画像濃度が実現される。
【００２７】
上記水性インク中に含有される分散剤としては、水溶性樹脂ならどのようなものでも使
用可能であるが、重量平均分子量は１，０００〜３０，０００の範囲のものが好ましく、
さらに好ましくは３，０００〜１５，０００の範囲のものである。具体的には、スチレン
、スチレン誘導体、ビニルナフタレン、ビニルナフタレン誘導体、α、β−エチレン性不
飽和カルボン酸の脂肪族アルコールエステル等の疎水性単量体、または、アクリル酸、ア
クリル酸誘導体、マレイン酸、マレイン酸誘導体、イタコン酸、イタコン酸誘導体、フマ
ール酸、フマール酸誘導体から選ばれる２つ以上の単量体からなるブロック共重合体、グ
ラフト共重合体、あるいは、ランダム共重合体、また、これらの塩等が挙げられる。これ
らの樹脂は、塩基を溶解させた水溶液に可溶でアルカリ可溶型樹脂である。更に、親水性
単量体からなるホモポリマー、あるいは、それらの塩でもよい。また、ポリビニルアルコ
ール、カルボキシメチルセルロース、ナフタレンスルホン酸ホルムアルデヒド縮合物等の
水溶性樹脂も使用することが可能である。分散剤は、通常、顔料に対して固形分換算で０
．１〜１０重量％の割合で水性インク中に含有される。
【００２８】
本発明に係る水性インクには、上述した顔料及びこれを分散させるための水、分散剤の
他に、通常、高沸点有機溶剤、低沸点有機溶剤、界面活性剤を含有させる。高沸点有機溶
剤及び低沸点有機溶剤については、上述した反応液に使用可能なものと同様のものを使用
することができる。界面活性剤としては、ドデシルベンゼンスルホン酸ナトリウム、ラウ
リル酸ナトリウム、ポリオキシエチレンアルキルエーテルサルフェートのアンモニウム塩
等のアニオン性界面活性剤；ポリオキシエチレンアルキルエーテル、ポリオキシエチレン
アルキルエステル、ポリオキシエチレンソルビタン脂肪酸エステル、ポリオキシエチレン
アルキルフェニルエーテル、ポリオキシエチレンアルキルアミン、ポリオキシエチレンア
ルキルアミド等の非イオン性界面活性剤；サーフィノール８２、１０４、４４０、４６５
、４８５（以上、エア・プロダクツ・アンド・ケミカルズ社製）、オルフィンＳＴＧ、オ
ルフィンＥ１０１０（以上、日信化学社製）等のアセチレングリコ−ル系界面活性剤；Ｂ
ＹＫ３４７、３４８（以上、ビックケミージャパン製）等のシリコーン系界面活性剤；カ
チオン性界面活性剤；両イオン性界面活性剤等が挙げられる。界面活性剤の含有量は、通
常、インクに対して０．０１〜２０重量％程度である。
【００２９】
本発明に係る水性インクには、必要に応じ、粘度調整剤、ｐＨ調整剤、防腐剤、酸化防
止剤、紫外線吸収剤、光安定剤、消光剤、防黴剤、防腐剤、消泡剤、抑泡剤等の公知の各
種添加剤を含有させることができる。
【００３０】
インクジェット記録用インクセットとして、上述した反応液と水性顔料インクとからな
るインクセットを用いることができる。このインクセットにおいては、反応液の表面張力
が、水性顔料インクの表面張力の平均値（使用する水性顔料インクが１色の場合は該水性
顔料インクの表面張力の測定値）よりも大となっている。インクセットを構成する水性顔
料インクは特に限定されず、１色でもよいし、２色以上でもよい。例えば、上記反応液と
、シアン、マゼンタ、イエロー及びブラックの４色の水性顔料インクとの組み合わせから
なるインクセットとすることができる。
【００３１】
特に好ましいインクセットは、反応液の表面張力自体が２５〜５０ｍＮ／ｍの範囲にあ
り、水性顔料インクの表面張力（インクセットが複数色の水性顔料インクを有する場合は
全ての水性顔料インクの表面張力）自体が２０〜５０ｍＮ／ｍの範囲にあり、且つ該反応
液の表面張力と上記平均値との差が５〜２５ｍＮ／ｍの範囲にあるものである。このよう
なインクセットは、記録ヘッドからの吐出安定性に優れており、目詰まりや飛行曲がりな
どを起こすおそれが少なく、良好な画質の記録物を提供することができる。
【００３２】
次に、上記反応液と水性顔料インク、又は上記インクセットを用いる本発明のインクジ
ェット記録方法について説明する。
【００３３】
本発明のインクジェット記録方法は、記録媒体の被記録面上で上記反応液と上記水性顔
料インクとを接触させるように、該反応液及び該水性顔料インクを該被記録面上に付与す
るもので、公知のインクジェットプリンタを用いて実施することができる。
【００３４】
インクジェットプリンタは、周知のように、記録ヘッド（インクジェットヘッド）の吐
出口からインクの液滴を吐出させ、これを記録媒体に付着させて画像を形成する印刷装置
である。インクジェットプリンタには、記録ヘッドのノズルから一定時間間隔でインクを
吐出し続け、吐出されたインク液滴を偏向させることにより画像を形成するコンティニュ
アス方式のものと、画像データに対応してインクを吐出させるオンデマンド方式のものと
があるが、本発明では、細かい打ち込み制御が可能で廃液量が少ないオンデマンド方式の
インクジェットプリンタが好ましい。また、記録ヘッドのインク吐出方式には、ピエゾ素
子などの圧電素子を利用した電気−機械変換方式や、ヒータなどの電気−熱変換素子を利
用した電気−熱変換方式などがあり、本発明では、いずれの方式の記録ヘッドを搭載した
インクジェットプリンタでも使用できる。尚、一般に、水性顔料インクを使用する場合に
は、吐出安定性等の観点から、電気−機械変換方式の記録ヘッドを使用することが好まし
い。
【００３５】
記録媒体としては、シリカなどの多孔質粒子を主体とするインク受容層を有する公知の
インクジェット専用紙は勿論のこと、インクジェット記録方式に適合した特性が付与され
ていない普通紙も本発明で好適に使用できる。本発明に使用可能な普通紙としては、例え
ば、上質紙、再生紙、コピー用紙、ボンド紙、アート紙、コート紙、キャストコート紙、
樹脂被覆紙（レジンコート紙）、バライタ紙、板紙、和紙、不織布や、ポリエチレン、ポ
リプロピレン、ポリスチレン、ポリエチレンテレフタレート等の樹脂フィルム等が挙げら
れる。本発明は、特に、水性インクの吸収性（浸透性）に乏しい記録媒体、例えば、オフ
セット印刷用紙などの一般塗工印刷用紙や樹脂フィルムなどに対して有効である。
【００３６】
上記反応液は、記録媒体の被記録面の全面に均一な付着量で付着させてもよく、インク
を付着させる箇所にのみ選択的に付着させてもよい。反応液の付着量は、所定の効果が得
られる範囲で適宜調整すればよく、好ましくは固形分換算で０．０５〜５ｇ／ｍ2である
。
【００３７】
本発明においては、上記反応液と上記水性顔料インクとを記録媒体の被記録面上で接触
させるようにこれらを付与すればよく、反応液、水性顔料インクの順序でこれらを記録媒
体の被記録面上に付与してもよいし、水性顔料インクを先に付与してもよい。
【００３８】
また、接触させる２液のうちの一方を付与してから他方を付与するまでの時間について
は、吐出量や記録媒体の種類などにより変わってくるが、５ｍｓ〜６０秒であることが好
ましく、５０ｍｓ〜５００ｍｓであることがさらに好ましい（ｍｓは1/1000秒を意味する
）。このタイムラグが５ｍｓより短いと、先に付与された一方の液滴が記録媒体内部に浸
透する前に、他方の液滴がこの一方の液滴に着弾する場合が出てくるため、インクや反応
液が記録媒体上に溢れて画質や乾燥性に悪影響を及ぼすおそれがある。逆に、タイムラグ
が６０秒を超えると、先に付与された一方の液滴が記録媒体内部に完全に浸透した後に他
方の液滴が吐出されることなるため、所定の画質向上効果が得られなくなるおそれがある
。
【００３９】
尚、上記反応液及びインクは、記録媒体に付与されると速やかに浸透するので、乾燥器
などを用いての強制乾燥は基本的に不要であるが、例えばフィルムのような液浸透性の低
い記録媒体を使用した場合などは、必要に応じ強制乾燥を行ってもよい。
【００４０】
本発明のインクジェット記録方法は、例えば、次のようにして実施することができる。
【００４１】
図１は、本発明のインクジェット記録方法の実施に使用可能なインクジェットプリンタ
の概略構成を示す斜視図である。このインクジェットプリンタ１０は、紙送りモータ１１
で駆動されるプラテンローラ１２により記録媒体Ｍを矢標Ｘ方向に搬送し、キャリッジ１
３上に搭載された記録ヘッド２０が、記録媒体Ｍの被記録面に、インクタンク３０から供
給される反応液及び各色水性顔料インクをそれぞれ吐出した後、これを図示しない排紙口
より搬出するようになしてある。キャリッジ１３は、キャリッジベルト１４を介してキャ
リッジモータ１５に連結されており、ガイドレール１６上を摺動して、矢標Ｘ方向と直交
する矢標Ｙ１又はＹ２方向に主走査するようになっている。
【００４２】
図２は、記録ヘッド２０の吐出口形成面２０ａの概略正面図である。図２中、Ｎｚはノ
ズルの吐出口を示し、２１及び２６は、反応液を吐出する吐出口列であり、２２，２３，
２４，２５は、それぞれ、イエロー（Ｙ）、マゼンタ（Ｍ）、シアン（Ｃ）、ブラック（
Ｋ）の水性顔料インクを吐出する吐出口列である。
【００４３】
このような構成のインクジェットプリンタ１０において、記録ヘッド２０は、矢標Ｙ１
方向に走査される場合、記録媒体Ｍの被記録面に対して、先ず、吐出口列２２，２３，２
４，２５より各色水性顔料インクを吐出し、続いてこのインク付着領域に対して、吐出口
列２６より反応液を吐出する。矢標Ｙ１方向に走査される場合は、吐出口列２１は使用し
ない。記録ヘッド２０は、記録領域の矢標Ｙ１方向終端に到達し、記録媒体Ｍが矢標Ｘ方
向に所定量搬送された後、矢標Ｙ２方向に走査される。矢標Ｙ２方向に走査される場合は
、先ず、吐出口列２５，２４，２３，２２より各色水性顔料インクを吐出し、続いてこの
インク付着領域に対して、吐出口列２１より反応液を吐出する。矢標Ｙ２方向に走査され
る場合は、吐出口列２６は使用しない。
【００４４】
入力画像データに基づき、このような記録ヘッド２０の双方向（Ｙ１及びＹ２）走査と
、各走査終了時の記録媒体ＭのＸ方向への搬送とが繰り返されることにより、所定の画像
が形成され、最終的に記録物が得られる。
【実施例】
【００４５】
以下に、本発明の実施例及び本発明の効果を示す試験例を挙げて、本発明をより具体的
に説明するが、本発明は、斯かる実施例により何等制限されるものではない。
【００４６】
〔実施例１〕
下記成分を混合し常温で３０分攪拌した後、５μｍのメンブランフィルターで濾過する
ことにより反応液を調製し、これを実施例１のサンプルとした。
（反応液組成）
・硫酸アルミニウム（Al2(SO4)3）                            １０重量％
・グリセリン                                              １８重量％
・トリエチレングリコールモノブチルエーテル                  ５重量％
・トリエタノールアミン（ｐＨ調整剤）                    ０．１重量％
・オレフィン系界面活性剤                              ０．０１重量％
（日信化学製、サーフィノール４８５）
・純水                                                      バランス
計１００重量％
【００４７】
〔実施例２〕
下記成分を混合し常温で３０分攪拌した後、５μｍのメンブランフィルターで濾過する
ことにより反応液を調製し、これを実施例２のサンプルとした。
（反応液組成）
・カリウムアルミニウムミョウバン（KAl(SO4)2・12H2O）   １．８重量％
・グリセリン                                              １８重量％
・トリエチレングリコールモノブチルエーテル                  ５重量％
・トリエタノールアミン（ｐＨ調整剤）                    ０．１重量％
・オレフィン系界面活性剤                              ０．０１重量％
（日信化学製、サーフィノール４８５）
・純水                                                      バランス
計１００重量％
【００４８】
〔実施例３〕
下記成分を混合し常温で３０分攪拌した後、５μｍのメンブランフィルターで濾過する
ことにより反応液を調製し、これを実施例３のサンプルとした。
（反応液組成）
・酢酸アルミニウム（Al(CH3COO)3）                         ３重量％
・グリセリン                                              １８重量％
・トリエチレングリコールモノブチルエーテル                  ５重量％
・トリエタノールアミン（ｐＨ調整剤）                    ０．１重量％
・オレフィン系界面活性剤                              ０．０１重量％
（日信化学製、サーフィノール４８５）
・純水                                                      バランス
計１００重量％
【００４９】
〔実施例４〕
下記成分を混合し常温で３０分攪拌した後、５μｍのメンブランフィルターで濾過する
ことにより反応液を調製し、これを実施例４のサンプルとした。
（反応液組成）
・硝酸アルミニウム（Al(ＮO3)3）                            １０重量％
・グリセリン                                              １８重量％
・トリエチレングリコールモノブチルエーテル                  ５重量％
・トリエタノールアミン（ｐＨ調整剤）                    ０．１重量％
・オレフィン系界面活性剤                              ０．０１重量％
（日信化学製、サーフィノール４８５）
・純水                                                      バランス
計１００重量％
【００５０】
〔比較例１〕
下記成分を混合し常温で３０分攪拌した後、５μｍのメンブランフィルターで濾過する
ことにより反応液を調製し、これを比較例１のサンプルとした。
（反応液組成）
・塩化ナトリウム（NaCl）                                 １０重量％
・グリセリン                                              １８重量％
・トリエチレングリコールモノブチルエーテル                  ５重量％
・トリエタノールアミン（ｐＨ調整剤）                    ０．１重量％
・シリコン系界面活性剤                                  ０．５重量％
（ビックケミージャパン製、ＢＹＫ３４８）
・オレフィン系界面活性剤                                ０．１重量％
（日信化学製、サーフィノール４８５）
・純水                                                      バランス
計１００重量％
【００５１】
〔比較例２〕
下記成分を混合し常温で３０分攪拌した後、５μｍのメンブランフィルターで濾過する
ことにより反応液を調製し、これを比較例２のサンプルとした。
（反応液組成）
・塩化マグネシウム（MgCl2）                              １０重量％
・グリセリン                                              １８重量％
・トリエチレングリコールモノブチルエーテル                  ５重量％
・トリエタノールアミン（ｐＨ調整剤）                    ０．１重量％
・オレフィン系界面活性剤                              ０．０１重量％
（日信化学製、サーフィノール４８５）
・純水                                                      バランス
計１００重量％
【００５２】
水性顔料インクを吐出するインクジェットプリンタ（セイコーエプソン製、ＰＭ４００
０ＰＸ）を用い、記録媒体（王子製紙製、ＯＫトップコートＮ、坪量１５７ｇ／ｍ2）の
被記録面に所定の画像を印刷した。次いで、インクジェットプリンタ（セイコーエプソン
製、ＥＭ９３０Ｃ）のシアンインクと上記反応液とを入れ替えたものを用い、これらの画
像印刷部分に対し、該反応液を付着量が固形分換算で１ｇ／ｍ2となるように付着させた
。インク付与と反応液付与との間のタイムラグは、およそ５０秒であった。このようにし
て、上記各反応液をそれぞれ使用した記録物を作製した。該記録物は、各例毎に、ＹＭＣ
Ｋ各色のＯＤ＝１のカラーパッチを印刷したもの（記録物Ａ）と、高精細カラーデジタル
標準画像［（ISO/JIS-SCID）、画像名称「ポートレート」（サンプル番号１、画像の評価
認識番号Ｎ１）］をＭＣマット紙用印字モード（推奨きれいモード）で印刷したもの（記
録物Ｂ）との画像が異なる２種類を作製した。尚、ここで使用したＹＭＣＫ各色の水性顔
料インクの表面張力の平均値は２８．９ｍＮ／ｍであった。
【００５３】
協和界面科学製サーフィステンションメーターＣＢＶＰ−Ａ３を用いて、上記各反応液
の液温２５℃での表面張力を測定した。また、上記各記録物について、画像濃度、ブリー
ド、粒状感、ドット真円性を下記の方法により評価した。これらの結果を下記〔表１〕に
示す。
【００５４】
（画像濃度の評価方法）
上記記録物ＡのＹＭＣＫの各カラーパッチについて、グレタグマクベス社製のスペクト
ロリーノＳＰＭ−５０を用い、視野角２度、光源Ｄ５０、フィルター無しの条件で反射光
学濃度（ＯＤ値）を測定し、下記評価基準により評価した。
評価基準
Ａ：ＹＭＣＫの４色のＯＤ値の合計が７．５を超える。発色性良好。
Ｂ：４色のＯＤ値の合計が７．５〜６．０。実用上問題なし。
Ｃ：４色のＯＤ値の合計が６．０未満（平均でＯＤ値１．５未満）。実用不可。
【００５５】
（ブリードの評価方法）
上記記録物ＡのＹとＣのカラーパッチが隣接する部分（画質低下が最も判別し易い部分
）をそれぞれ目視により観察して、それらの色境界での不均一な色混じりの程度を下記評
価基準により評価した。
評価基準
Ａ：色混じりの無い、良好な画像が得られた。
Ｂ：色混じりが僅かに生じた。実用上問題なし。
Ｃ：色の境界がはっきりしないほど色混じりが起こった。実用不可。
【００５６】
（粒状感の評価方法）
上記記録物Ｂの画像を目視で観察して、粒状感が目立たないものをＡ、粒状感が若干目
立つものをＢ、粒状感が目立つものをＣとした。
【００５７】
（ドット真円性の評価方法）
上記記録物ＡのＹＭＣＫ各カラーパッチ印刷部分の中間調領域について、光学顕微鏡を
用いてインクのドット径（キャリッジの移動方向の径Ｘ、用紙の搬送方向の径Ｙ）を測定
し、そのインクドットの「Ｘ／Ｙ比１．０の真円ドット」に対する歪み率〔｛｜（インク
ドットのＸ／Ｙ比）−１．０｜／１．０｝×１００％〕を求めて、該歪み率が１０％以内
のものをＡ（真円あるいは真円に極めて近い）、該歪み率が１０％超２０％以内のものを
Ｂ、該歪み率が２０％を超えるものをＣとした。
【００５８】
【表１】
2005074656.tif 000002
【図面の簡単な説明】
【００５９】
【図１】本発明を適用可能なインクジェットプリンタの概略構成を示す斜視図である。
【図２】図１に示す記録ヘッドの吐出口形成面の概略正面図である
【符号の説明】
【００６０】
１０…インクジェットプリンタ
１１…紙送りモータ
１２…プラテンローラ
１３…キャリッジ
１４…キャリッジベルト
１５…キャリッジモータ
１６…ガイドロール
２０…記録ヘッド
２０ａ…吐出口形成面
２１〜２６…吐出口列
３０…インクタンク
Ｎｚ…吐出口
Ｍ…記録媒体
【図１】
2005074656.tif 000003
【図２】
2005074656.tif 000004